(57)【要約】【課題】フレキシブル配線基板に形成された配線の断線を防止しつつ、カバー層で被覆されない領域での接続端子の短絡を防止することが可能な技術を提供することである。【解決手段】  フレキシブル基板は、接続端子と信号配線とが形成された基材と、前記基材の一方の面に配置された第１のカバー層と、前記基材の前記一方の面とは異なる他方の面に配置された第２のカバー層とを有し、前記接続端子と前記信号配線とは前記一方の面に形成され、液晶表示パネルは前記接続端子と接続され、前記第１のカバー層は前記表示パネルの端部と所定の間隙を有して、且つ前記接続端子と前記信号配線の少なくとも一方を露出して前記一方の面に位置しており、前記第２のカバー層は平面的に見て前記間隙と重畳して前記他方の面に位置しており、前記第２のカバー層の前記表示パネルとは反対側の第２の端部は頭頂部と底部とを有する波状に形成されている。【選択図】  図４
2014132299.tif 000002
【特許請求の範囲】
【請求項１】
表示パネルと、前記表示パネルに電気的に接続されるフレキシブル配線基板とを有する表示装置であって、
前記フレキシブル基板は、接続端子と信号配線とが形成された基材と、前記基材の一方の面に配置された第１のカバー層と、前記基材の前記一方の面とは異なる他方の面に配置された第２のカバー層とを有し、
前記接続端子と前記信号配線とは、前記一方の面に形成され、
前記液晶表示パネルは、前記接続端子と接続され、
前記第１のカバー層は、前記表示パネルの端部と所定の間隙を有して、且つ前記接続端子と前記信号配線の少なくとも一方を露出して、前記一方の面に位置しており、
前記第２のカバー層は、平面的に見て前記間隙と重畳して前記他方の面に位置しており、
前記第１のカバー層の前記間隙の側の第１の端部は、前記表示パネルの端辺と対向し、直線状に形成され、
前記第２のカバー層の前記表示パネルとは反対側の第２の端部は、頭頂部と底部とを有する波状或いは凹凸状に形成され、
前記第１の端部は、平面的に見て、前記第２の端部の前記頭頂部と前記底部との間の領域に配置されていることを特徴とする表示装置。
【請求項２】
表示パネルと、前記表示パネルに電気的に接続されるフレキシブル配線基板とを有する表示装置であって、
前記フレキシブル基板は、接続端子と信号配線とが形成された基材と、前記基材の一方の面に配置された第１のカバー層と、前記基材の前記一方の面とは異なる他方の面に配置された第２のカバー層とを有し、
前記接続端子と前記信号配線とは、前記一方の面に形成され、
前記液晶表示パネルは、前記接続端子と接続され、
前記第１のカバー層は、前記表示パネルの端部と所定の間隙を有して、且つ前記接続端子と前記信号配線の少なくとも一方を露出して、前記一方の面に位置しており、
前記第２のカバー層は、平面的に見て前記間隙と重畳して前記他方の面に位置しており、
前記第２のカバー層の前記表示パネルとは反対側の第２の端部は、頭頂部と底部とを有する波状或いは凹凸状に形成されていることを特徴とする表示装置。
【請求項３】
前記第１のカバー層の前記間隙の側の第１の端部は、前記表示パネルの端辺と対向し、直線状に形成されていることを特徴とする請求項２に記載の表示装置。
【請求項４】
前記第１のカバー層の前記間隙の側の第１の端部は、平面的に見て、前記第２の端部の前記頭頂部と前記底部との間の領域に配置されていることを特徴とする請求項２又は請求項３に記載の表示装置。
【請求項５】
前記第１のカバー層の前記間隙の側の第１の端部は、平面的に見て、前記第２のカバー層と重畳していることを特徴とする請求項２又は請求項３に記載の表示装置。
【請求項６】
前記第１のカバー層の前記間隙の側の第１の端部は、頭頂部と底部とを有する波状或いは凹凸状に形成され、
前記第1の端部の前記頭頂部と前記底部との領域と、前記第２の端部の前記頭頂部と前記底部との領域とは、平面的に見て、重なっていることを特徴とする請求項２に記載の表示装置。
【請求項７】
前記第1の端部の前記頭頂部と前記第２の端部の前記頭頂部とは、平面的に見て、互いにずれて配置されていることを特徴とする請求項６に記載の表示装置。
【請求項８】
前記第１の端部の前記波状或いは前記凹凸状は、第１の周期を有し、
前記第２の端部の前記波状或いは前記凹凸状は、第２の周期を有し、
前記第１の周期と前記第２の周期とは、所定の間隔ずれていることを特徴とする請求項７に記載の表示装置。
【請求項９】
前記第１の端部の前記波状或いは前記凹凸状と、前記第２の端部の前記波状或いは前記凹凸状とは、同じ周期を有することを特徴とする請求項７に記載の表示装置。
【請求項１０】
前記第1の端部の前記頭頂部と前記第２の端部の前記頭頂部とは、平面的に見て、互いに前記周期の１／４ずれて配置されていることを特徴とする請求項９に記載の表示装置。
【発明の詳細な説明】
【技術分野】
【０００１】
本発明は、表示装置に係わり、特に、表示パネルに制御信号を入力するフレキシブル配線基板の接続部の構成に関する。
【背景技術】
【０００２】
図６に示すように、従来の液晶表示装置は、図示しない液晶層を介して第１基板ＳＵＢ１と第２基板ＳＵＢ２とが対向配置され、観察者側に配置される第２基板ＳＵＢ２の上面には上偏光板ＰＯＬが貼り付けされ、裏面側に配置される第１基板ＳＵＢ１には図示しない下偏光板が貼り付けされ、液晶表示パネルが構成されている。第１基板ＳＵＢ１の液層層側の面には図示しない画素電極や薄膜トランジスタ等が形成されると共に、該第１基板ＳＵＢ１の辺部には駆動回路ＤＲが搭載されている。さらには、第１基板ＳＵＢ１に辺縁部にはフレキシブル配線基板ＦＰＣが電気的に接続され、駆動回路ＤＲに画像表示用の制御信号が入力される構成となっている。
【０００３】
このフレキシブル配線基板ＦＰＣは、基材であるベースフィルムＢＦの表面に銅等の金属薄膜で信号線が形成され、該信号線をも覆うようにしてベースフィルムＢＦの表面に樹脂製のカバー層ＣＶ１が形成されている。このため、第１基板ＳＵＢ１へのフレキシブル配線基板ＦＰＣの接続では、図６中の点線の丸印Ｂで示すように、カバー層ＣＶ１が取り除かれて露出された信号線の表面にニッケル（Ｎｉ）及び金（Ａｕ）等が積層された接続端子が形成され、異方性導電膜を介して第１基板ＳＵＢ１に電気的に接続されている。
【０００４】
一方、一般的なフレキシブル配線基板ＦＰＣでは、カバー層ＣＶ１は第１基板ＳＵＢ１の辺端部に沿って取り除かれ、該カバー層ＣＶ１の端部が直線状に形成されていた。このため、直線状のカバー層ＣＶ１の端部にフレキシブル配線基板ＦＰＣの折り曲げに伴う屈曲点が集中し、まず、硬くて脆いニッケル（Ｎｉ）層が破断し、この破断によって信号線も断線してしまうという問題があった。
【０００５】
この問題を解決する方法として、例えば、特許文献１に記載の液晶表示装置がある。この特許文献１に記載の技術を図７に示す。図７は、図６に示す白抜き矢印Ｐ３から見たフレキシブル配線基板の接続部分の拡大図である。図７の丸印Ｃに示すように、カバー層ＣＶ１の端部が山部と谷部を有する波状に形成され、フレキシブル配線基板ＦＰＣの折り曲げに伴う屈曲点を分散させ、接続端子のニッケル（Ｎｉ）層の破断及び信号線の断線を防止する構成となっている。
【先行技術文献】
【特許文献】
【０００６】
【特許文献１】特開平９−１３８３８７号公報
【発明の概要】
【発明が解決しようとする課題】
【０００７】
第１基板ＳＵＢ１の辺縁部にフレキシブル配線基板ＦＰＣを接続する場合、接続時の位置合わせ精度等を考慮して、第１基板ＳＵＢ１の端部とカバー層ＣＶ１の端部との間隔を約０．３ｍｍは必要である。このため、図８に示すように、カバー層ＣＶ１の端部が波状に形成される特許文献１のフレキシブル配線基板ＦＰＣでは、カバー層ＣＶ１の第１基板ＳＵＢ１側に突出される部分と第１基板ＳＵＢ１の端部との間隔Ｌ２が約０．３ｍｍとなる。
【０００８】
また、フレキシブル配線基板ＦＰＣの折り曲げ時にカバー層ＣＶ１の端部にかかる機械的応力を分散させ、折り曲げ時の屈曲点を分散させるためには、波状に形成されるカバー層ＣＶ１の端部の山部と谷部との差が０．３〜１．０ｍｍ程度必要となる。このために、特許文献１の構成では、第１基板ＳＵＢ１から最も遠いカバー層ＣＶ１の端分と第１基板ＳＵＢ１の端部との間隔Ｌ３はＬ３＝０．６〜１．３ｍｍ程度となり、この領域では接続端子や信号配線が大きく露出することとなる。このため、フレーム部材の内部に侵入した導電性の異物により、隣接する接続端子や信号配線が短絡され、表示不良が生じることが懸念されている
さらには、例えばスマートフォンやタブレット端末に搭載される液晶表示装置において、限られた外形形状での大画面化を実現するための額縁領域の縮小化（挟額縁化）や、スマートフォンやタブレット端末の薄型化に貢献するための液晶表示装置の薄型化が急速に進展している。この液晶表示装置の挟額縁化や薄型化の進展に伴い、液晶表示装置を覆うように配置されるフレーム部材と液晶表示パネルとの間隔も非常に小さくなっている。このため、露出される信号線（接続端子）と導電性のフレーム部材（特に、下フレーム）とが接触し、表示不良が生じることも懸念されている。
【０００９】
本発明はこれらの問題点に鑑みてなされたものであり、本発明の目的は、フレキシブル配線基板の折り曲げによる断線を防止しつつ、カバー層で被覆されない領域での短絡を防止することが可能な技術を提供することにある。
【課題を解決するための手段】
【００１０】
（１）前記課題を解決すべく、本発明の表示装置は、表示パネルと、前記表示パネルに電気的に接続されるフレキシブル配線基板とを有する表示装置であって、前記フレキシブル基板は、接続端子と信号配線とが形成された基材と、前記基材の一方の面に配置された第１のカバー層と、前記基材の前記一方の面とは異なる他方の面に配置された第２のカバー層とを有し、前記接続端子と前記信号配線とは、前記一方の面に形成され、前記液晶表示パネルは、前記接続端子と接続され、前記第１のカバー層は、前記表示パネルの端部と所定の間隙を有して、且つ前記接続端子と前記信号配線の少なくとも一方を露出して、前記一方の面に位置しており、前記第２のカバー層は、平面的に見て前記間隙と重畳して前記他方の面に位置しており、前記第１のカバー層の前記間隙の側の第１の端部は、前記表示パネルの端辺と対向し、直線状に形成され、前記第２のカバー層の前記表示パネルとは反対側の第２の端部は、頭頂部と底部とを有する波状或いは凹凸状に形成され、前記第１の端部は、平面的に見て、前記第２の端部の前記頭頂部と前記底部との間の領域に配置されていることを特徴とする表示装置である。
【００１１】
（２）前記課題を解決すべく、本発明の表示装置は、表示パネルと、前記表示パネルに電気的に接続されるフレキシブル配線基板とを有する表示装置であって、前記フレキシブル基板は、接続端子と信号配線とが形成された基材と、前記基材の一方の面に配置された第１のカバー層と、前記基材の前記一方の面とは異なる他方の面に配置された第２のカバー層とを有し、前記接続端子と前記信号配線とは、前記一方の面に形成され、前記液晶表示パネルは、前記接続端子と接続され、前記第１のカバー層は、前記表示パネルの端部と所定の間隙を有して、且つ前記接続端子と前記信号配線の少なくとも一方を露出して、前記一方の面に位置しており、前記第２のカバー層は、平面的に見て前記間隙と重畳して前記他方の面に位置しており、前記第２のカバー層の前記表示パネルとは反対側の第２の端部は、頭頂部と底部とを有する波状或いは凹凸状に形成されていることを特徴とする表示装置である。
【発明の効果】
【００１２】
本発明によれば、フレキシブル配線基板の折り曲げによる断線を防止できると共に、カバー層で被覆されない領域での短絡を防止することができる。
【００１３】
本発明のその他の効果については、明細書全体の記載から明らかにされる。
【図面の簡単な説明】
【００１４】
【図１】本発明の実施形態１の表示装置である液晶表示装置の概略構成を説明するための平面図である。
【図２】本発明の実施形態１のフレキシブル配線基板ＦＰＣと液晶表示パネルとの接続部分の断面図である。
【図３】本発明の実施形態１のフレキシブル配線基板ＦＰＣと液晶表示パネルとの接続部分の裏面側からの平面図である。
【図４】本発明の実施形態１のフレキシブル配線基板ＦＰＣと液晶表示パネルとの接続部分の表面側からの平面図である。
【図５】本発明の実施形態２の表示装置である液晶表示装置におけるフレキシブル配線基板の概略構成を説明するための平面図である。
【図６】従来の液晶表示装置の概略構成を説明するための断面図である。
【図７】図６に示す白抜き矢印Ｐ３からのフレキシブル配線基板の接続部分の拡大図である。
【図８】従来のフレキシブル配線基板の接続部の拡大図である。
【発明を実施するための形態】
【００１５】
以下、本発明が適用された実施形態について、図面を用いて説明する。ただし、以下の説明において、同一構成要素には同一符号を付し繰り返しの説明は省略する。また、図中に示すＸ，Ｙ，Ｚは、それぞれＸ軸、Ｙ軸、Ｚ軸である。
【００１６】
〈実施形態１〉
図１は本発明の実施形態１の表示装置である液晶表示装置の概略構成を説明するための平面図であり、以下、図１に基づいて、実施形態１の液晶表示装置の全体構成を説明する。ただし、本願発明は液晶表示装置に限定されることはなく、有機ＥＬ表示装置等の他の表示装置にも適用可能である。さらには、座標検出装置（タッチパネル）等が搭載される表示装置にも適用可能である。
【００１７】
図１に示すように、実施形態１の液晶表示装置は、画素がマトリクス状に配置される表示領域を有する周知の液晶表示パネルと、該液晶表示パネルの裏面に配置される図示しない周知のバックライトユニットとから構成されている。液晶表示パネルは、例えば、図示しない周知の薄膜トランジスタ等が形成される第１基板（ＴＦＴ基板とも称する）ＳＵＢ１と、画素に対応して赤色（Ｒ），緑色（Ｇ），青色（Ｂ）のカラーフィルタ等が形成される第２基板（ＣＦ基板とも称する）ＳＵＢ２とが図示しない液晶層を挟持して、対向配置される構成となっている。
【００１８】
第１基板ＳＵＢ１の対向面すなわち液晶層と接する側の面には、長手方向に延在する図示しない複数の映像信号線（ドレイン線）と、短手方向に延在する複数の走査信号線（ゲート線）とが形成され、該ドレイン線とゲート線とで囲まれる領域が画素の領域を形成している。また、ドレイン線とゲート線とが交差する近傍には、ゲート線からの走査信号でＯＮ／ＯＦＦ駆動される図示しない薄膜トランジスタが配置され、該薄膜トランジスタのＯＮ時にドレイン電極に接続されるドレイン線からの映像信号がソース電極に接続される図示しない画素電極に出力される構成となっている。
【００１９】
第２基板ＳＵＢ２の対向面すなわち液晶層と接する側の面には、画素毎にＲＧＢの何れかのカラーフィルタが対応する構成となっており、ＲＧＢの画素でカラー表示用の単位画素を構成している。また、第２基板ＳＵＢ２は図中下側の辺が第１基板ＳＵＢ１よりも小さく形成されている。第２基板ＳＵＢ２から露出する第１基板ＳＵＢ１の対向面すなわち液晶層側の面には、映像信号や走査信号等を生成する駆動回路ＤＲが搭載されている。さらには、駆動回路ＤＲよりも辺縁側に図示しない端子部が形成され、該端子部に実施形態１のフレキシブル配線基板ＦＰＣの一端が電気的に接続され、該フレキシブル配線基板ＦＰＣを介して画像表示用の制御信号すなわち駆動回路ＤＲの制御信号が外部から入力される。なお、駆動回路ＤＲをフレキシブル配線基板ＦＰＣに搭載する構成であってもよく、さらには、周知の薄膜トランジスタの形成技術を用いて、第１基板ＳＵＢ１に駆動回路を形成する構成であってもよい。
【００２０】
また、第１基板ＳＵＢ１及び第２基板ＳＵＢ２の露出側の面すなわち液晶層と接しない側の面には、それぞれ周知の偏光板ＰＯＬが貼り付けされている。該偏光板ＰＯＬは、従来と同様に、その端部が表示領域よりも外周側に位置するように形成され、表示領域を覆う構成となっている。
【００２１】
また、実施形態１の液晶表示装置では、周知の上フレームと下フレームとからなるフレーム部材により、液晶表示パネルとバックライトユニットとが保持され、保護される構成となっている。なお、液晶表示パネル側に配置される上フレームは表示領域に対応した開口が形成される箱体状をなし、バックライトユニット側に配置される下フレームは、一方の面が側壁面に沿って開口される箱体状をなしている。
【００２２】
（フレキシブル配線基板の詳細構成）
次に、図２に本発明の実施形態１のフレキシブル配線基板ＦＰＣと液晶表示パネルとの接続部分の断面図、図３に本発明の実施形態１のフレキシブル配線基板ＦＰＣと液晶表示パネルとの接続部分の裏面側からの平面図、図４に本発明の実施形態１のフレキシブル配線基板ＦＰＣと液晶表示パネルとの接続部分の表面側からの平面図を示し、以下、図２〜図４に基づいて、実施形態１のフレキシブル配線基板の詳細構成について説明する。ただし、図２は図１に示すＡ−Ａ’線での断面図、図３は図２に示す白抜き矢印Ｐ１からの拡大図、図４は図２に示す白抜き矢印Ｐ２からの拡大図であり、特に、図４では斜線で示す部分が第２のカバー層ＣＶ２である。
【００２３】
実施形態１のフレキシブル配線基板ＦＰＣは、ポリイミド等の周知の樹脂部材からなる基材（ベースフィルム）ＢＦの一方の面（図２中下側面）に図示しない信号配線（信号線）が形成される構成となっている。この信号線の上層には、当該信号線を含むベースフィルムＢＦの露出面（表面）を覆うようにしてカバー層（第１のカバー層）ＣＶ１が貼り付けされ、信号線の保護と絶縁がなされる構成となっている。液晶表示パネルの端部とカバー層ＣＶ１とは所定の間隙を有して配置されている。よって、このフレキシブル配線基板ＦＰＣの端部には、カバー層ＣＶ１で信号線が覆われない接続部が形成され、露出される信号線の表面にニッケル（Ｎｉ）と金（Ａｕ）とが順にめっきされた接続端子がＸ方向に並設される構成となっている。
【００２４】
この実施形態１のフレキシブル配線基板ＦＰＣの接続部においては、カバー層ＣＶ１の端部（第１の端部）は信号線（接続端子）の延在方向と直交する直線形状となっている。すなわち、カバー層ＣＶ１の端部形状は、当該フレキシブル配線基板ＦＰＣが接続される第１基板ＳＵＢ１の辺部の形状（直線形状）に沿った形状となっている。よって、図３に示すように、第１基板ＳＵＢ１に実施形態１のフレキシブル配線基板ＦＰＣを接続した際に、第１基板ＳＵＢ１の端部とカバー層ＣＶ１の端部との間隔Ｌ１を一定に保持することが可能となる。
【００２５】
特に、実施形態１においては、フレキシブル配線基板ＦＰＣ本体の形成精度や、第１基板ＳＵＢ１の端子部にフレキシブル配線基板ＦＰＣの各接続端子を周知の異方性導電膜を介して接続する際の位置合わせ精度等を考慮し、間隔Ｌ１の設計値をＬ１＝０．３ｍｍとする。この場合、間隔Ｌ１の隙間から露出される接続端子ＳＧ或いは信号線のＹ方向幅は、最大の場合であっても間隔Ｌ１＝０．３ｍｍに接続時の位置合わせに伴う距離を加算した幅となる。すなわち、第１基板ＳＵＢ１とカバー層ＣＶ１の端部との隙間から露出される接続端子ＳＧのＹ方向幅（延在方向幅）を大幅に小さくできる。従って、導電性の異物の侵入に伴う隣接する接続端子ＳＧすなわち信号配線間の短絡を大幅に抑制できると共に、接続端子ＳＧと図示しない下フレームとの接触も防止できるという効果を得ることができる。さらには、液晶表示装置の信頼性を大幅に向上できるという効果を得ることができる。ただし、間隔Ｌ１の設計値は０．３ｍｍに限定されることはなく、フレキシブル配線基板ＦＰＣと第１基板ＳＵＢ１との位置合わせ精度等により、適宜設定する。
【００２６】
また、図２に示すように、実施形態１のフレキシブル配線基板ＦＰＣでは、ベースフィルムＢＦの表面の内で、第１基板ＳＵＢ１に対向しない側の面には第２のカバー層ＣＶ２が形成される構成となっている。第２のカバー層ＣＶ２もカバー層ＣＶ１と同様に、周知の接着層を介してベースフィルムＢＦの表面にカバー層ＣＶ１と同様の樹脂部材が貼り付けされる。該第２のカバー層ＣＶ２のＹ１側の端部（一方の端部）は、図２から明らかなように、フレキシブル配線基板ＦＰＣの先端部分と揃うように形成されている。また、第２のカバー層ＣＶ２のＹ２側の端部（他方の端部，第２の端部）は、平面的に見て、カバー層ＣＶ１の端部とその一部が重畳する構成となる。
【００２７】
第２のカバー層ＣＶ２の詳細構成は、図４に示すように、Ｙ２側に位置Ｙ４まで突出する凸部（山部）とＹ１側に位置Ｙ３まで窪んだ凹部（谷部）とが、接続端子ＳＧの延在方向（Ｙ方向）と直交する方向（Ｘ方向）に交互に形成され、第２のカバー層ＣＶ２のＹ２側端部が波状形状となっている。尚、該端部は、波状形状ではなく、図示しない複数の線状部分から成る凹凸形状でもよい。さらには、実施形態１の第２のカバー層ＣＶ２では、平面的に見て、反対側面に形成されるカバー層ＣＶ１の端部（図４中に点線Ｅ１で示す）が、位置Ｙ３に形成される第２のカバー層ＣＶ２の凹部の底部と、位置Ｙ４に形成される凸部の頭頂部との間隔Ｗ内に形成される構成となっている。すなわち、実施形態１の第２のカバー層ＣＶ２はＹ２側端部の側のみが波状に形成され、他の３辺であるフレキシブル配線基板ＦＰＣの先端側及び側部側はその端部に沿った形状となっている。さらには、実施形態１のフレキシブル配線基板ＦＰＣの構成では、第２のカバー層ＣＶ２もカバー層ＣＶ１と同一の樹脂部材で構成され、その層厚もカバー層ＣＶ１と同等の層厚で形成されている。
【００２８】
このように、実施形態１の構成では、平面的に見て、第２のカバー層ＣＶ２の一部とカバー層ＣＶ１とが重畳される領域と重畳されない領域とが、カバー層ＣＶ１の直線状の端部に沿って配置される構成となる。従って、接続部近傍でのフレキシブル配線基板ＦＰＣの折り曲げに伴い生じることとなるカバー層ＣＶ１の端部での機械的応力の分散及び屈曲点の分散が可能となり、折り曲げ時の信号線の断線に対する耐性力を向上させ、折り曲げに起因する断線を防止できる。
【００２９】
すなわち、フレキシブル配線基板ＦＰＣを折り曲げた際に、直線状に形成されるカバー層ＣＶ１の端部に沿って機械的応力が集中しようとするが、直線状に形成されるカバー層ＣＶ１の端部が第２のカバー層ＣＶ２の波状形状の端部と重畳する構成となっている。この構成によって、フレキシブル配線基板ＦＰＣの折り曲げによって生じることとなるカバー層ＣＶ１の端部に沿った機械的応力が、第２のカバー層ＣＶ２の波状形状の端部に沿って分散されることとなり、フレキシブル配線基板ＦＰＣの折り曲げに起因する屈曲点も分散されることとなる。従って、フレキシブル配線基板ＦＰＣの折り曲げ時の信号線の断線に対する耐性力を向上させることができ、フレキシブル配線基板ＦＰＣの折り曲げに起因する信号線の断線を防止できる。特に、繰り返しの折り曲げに伴う信号線の断線に対する耐性力を向上できる。
【００３０】
その結果、カバー層ＣＶ１で被覆されない端子部での接続端子ＳＧや信号線の短絡を防止することができると共に、フレキシブル配線基板ＦＰＣの断線を防止でき、液晶表示装置の信頼性も大幅に向上させることができる。特に、硬くて脆いニッケル（Ｎｉ）がめっきされた接続端子を有するフレキシブル配線基板ＦＰＣの繰り返しの折り曲げによる断線の防止に効果的である。
【００３１】
また、実施形態１のフレキシブル配線基板ＦＰＣの構成においては、信号線が形成されない側のベースフィルムＢＦの表面に、波状の端部形状を有する第２のカバー層ＣＶ２が配置される構成となっている。従って、図８に示すような波状の端部形状によって接続端子ＳＧの露出量が変動することがなくなる。即ち、接続端子ＳＧや信号配線の露出量が多く、導電性の異物により、隣接する接続端子や信号配線が短絡することを防止できるという格別の効果を得ることも可能となる。
【００３２】
なお、実施形態１のフレキシブル配線基板ＦＰＣにおいては、平面的に見て、第２のカバー層ＣＶ２の凹部の底部（位置Ｙ３）と凸部の頭頂部（位置Ｙ４）とがカバー層ＣＶ１の端部を挟むように形成される場合について説明したが、第２のカバー層ＣＶ２の凹部の底部の位置Ｙ３と凸部の頭頂部の位置Ｙ４とが共に、カバー層ＣＶ１の端部よりも配線側に形成される構成であってもよい。
【００３３】
また、実施形態１のフレキシブル配線基板ＦＰＣは、片面フレキシブル配線基板に限定されることはなく、ベースフィルムＢＦの両面に信号配線が形成される両面フレキシブル配線基板にも適用可能であり、さらには、多層フレキシブル配線基板にも適用可能である。ただし、両面フレキシブル配線基板には、両面にカバー層ＣＶ１を配置し、接続端子ＳＧが露出されない側の面では、該カバー層ＣＶ１の上面（液晶表示パネル側の端部の上面）をも覆うように本願発明の第２のカバー層ＣＶ２を形成することが望ましい。
【００３４】
〈実施形態２〉
図５は本発明の実施形態２の表示装置である液晶表示装置におけるフレキシブル配線基板の概略構成を説明するための平面図であり、実施形態１の図４に対応する図面である。ただし、実施形態２の液晶表示装置はフレキシブル配線基板ＦＰＣの表面に覆うように形成されるカバー層ＣＶ１及び第２のカバー層ＣＶ２の構成を除く他の構成は、実施形態１と同様の構成となる。従って、以下の説明では、カバー層ＣＶ１及び第２のカバー層ＣＶ２について詳細に説明する。
【００３５】
図５に示すように、実施形態２のフレキシブル配線基板ＦＰＣにおいては、ベースフィルムＢＦの上面側すなわち信号線が配置されない側に形成される第２のカバー層ＣＶ２の端部は、実施形態１に示す第２のカバー層ＣＶ２の端部形状と同じ波状の形状となっている。また、ベースフィルムＢＦの下面側すなわち信号線が配置される側を覆うように形成されるカバー層ＣＶ１の構成においても、その端部（図５中に点線Ｅ２で示す）が、第２のカバー層ＣＶ２の端部形状と同様に、波状の形状となっている。すなわち、実施形態２のフレキシブル配線基板ＦＰＣにおけるカバー層ＣＶ１は、図７に示す従来のカバー層ＣＶ１と同様の構成となっている。
【００３６】
この構成からなる実施形態２のフレキシブル配線基板ＦＰＣでは、カバー層ＣＶ１の波状形状の端部と第２のカバー層ＣＶ２の波状形状の端部とによって、折り曲げ時における応力がそれぞれ分散されることとなるので、その分散効果も大きくなる。従って、屈曲点の分散効果も大きくでき、フレキシブル配線基板ＦＰＣの折り曲げに伴う信号線の断線に対する耐性力をさらに向上できるという格別の効果を得ることができる。その結果、信号線の断線に対する防止効果もさらに向上でき、液晶表示装置の信頼性をさらに向上できる。
【００３７】
また、実施形態２のフレキシブル配線基板ＦＰＣの構成においては、カバー層ＣＶ１の端部に形成される凸部と凹部との周期（凸部及び凹部のＸ軸方向の幅）及び大きさ（凸部のＹ軸方向の高さ凹部のＹ軸方向の深さ）と、第２のカバー層ＣＶ２の端部に形成される凸部と凹部との周期及び大きさとが同じであり、かつ、平面的に見て、その形成位置がＸ軸方向に１／４周期分ずれて配置される構成となっている。従って、カバー層ＣＶ１の端部と第２のカバー層ＣＶ２の端部とが交差する位置が平面的に見て直線状に配置されることを防止できる。
【００３８】
一方、平面的に見て、カバー層ＣＶ１の波状端部と第２のカバー層ＣＶ２の波状端部とが交差しない部分に比較して、交差する部分は応力が集中しやすいが、実施形態２の構成では、応力の集中する交差部分が直線状に配置されない構成となる。従って、フレキシブル配線基板ＦＰＣの折り曲げ時における応力が集中しやすい交差部分における応力も分散できるので、屈曲点も分散できる。その結果、実施形態２のフレキシブル配線基板ＦＰＣでは、繰り返しの折り曲げに起因する信号線の断線に対する耐性力をさらに向上でき、実施形態２のフレキシブル配線基板ＦＰＣを用いる液晶表示装置の信頼性もさらに向上できる。
【００３９】
なお、実施形態２においては、カバー層ＣＶ１の端部に形成される凸部と凹部との周期（凸部及び凹部のＸ軸方向の幅）及び大きさ（凸部のＹ軸方向の高さと凹部のＹ軸方向の深さ）と、第２のカバー層ＣＶ２の端部に形成される凸部と凹部との周期及び大きさとが同じであり、かつ、平面的に見て、その形成位置がＸ軸方向に１／４周期分ずれて配置される場合について説明したが、これに限定されることはない。
【００４０】
また、実施形態２の構成においては、カバー層ＣＶ１の凹部のＹ軸方向位置と凸部のＹ軸方向位置との中間位置と、第２のカバー層ＣＶ２の凹部のＹ軸方向位置と凸部のＹ軸方向位置との中間位置とが一致するように、第２のカバー層ＣＶ２を形成する場合について説明したが、これに限定されることはない。例えば、カバー層ＣＶ１の凹部のＹ軸方向位置と凸部のＹ軸方向位置との中間位置と、第２のカバー層ＣＶ２の凹部のＹ軸方向位置と凸部のＹ軸方向位置との中間位置とがＹ軸方向に異なるように形成される構成であってもよい。
【００４１】
なお、本願発明の実施形態１，２の第２のカバー層ＣＶ２の構成においては、カバー層ＣＶ１と重畳される側の端部における山部と谷部の大きさが全て同じ大きさで形成される場合について説明したが、これに限定されることはなく、山部と谷部がそれぞれ異なる大きさ形成される、さらには各山部及び谷部がそれぞれ異なる大きさで形成される構成であってもよい。
【００４２】
以上、本発明者によってなされた発明を、前記発明の実施形態に基づき具体的に説明したが、本発明は、前記発明の実施形態に限定されるものではなく、その要旨を逸脱しない範囲において種々変更可能である。
【符号の説明】
【００４３】
ＳＵＢ１……第１基板、ＳＵＢ２……第２基板、ＰＯＬ……偏光板、ＤＲ……駆動回路
ＦＰＣ……フレキシブル配線基板、ＢＦ……ベースフィルム、ＳＧ……接続端子
ＣＶ１……カバー層（第１のカバー層）、ＣＶ２……第２のカバー層
【図１】
2014132299.tif 000003
【図２】
2014132299.tif 000004
【図３】
2014132299.tif 000005
【図４】
2014132299.tif 000006
【図５】
2014132299.tif 000007
【図６】
2014132299.tif 000008
【図７】
2014132299.tif 000009
【図８】
2014132299.tif 000010